(57)【要約】【課題】周囲の人に自分の身の危険を確実に知らせることができる傘または杖である外出用の装備品を提供すること。【解決手段】傘または杖である外出用装備品であって、装備品本体に、警報音を発する警報音発生部と、この警報音発生部をオン、オフするためのスイッチ部と、を設ける。また前記警報音発生部をオンにしたときに、点滅動作をする点滅手段を装備品本体に更に設ける。このような構成にすることで自分の身に危険があったときに警報音を発すると共に点滅手段が点滅することができるので、この警報音及び点滅によって周囲の人に自分の身の危険を確実に知らせることができる。【選択図】図７
2007037993.tif 000002
【特許請求の範囲】
【請求項１】
傘または杖である外出用装備品であって、
装備品本体に、警報音を発する警報音発生部と、
この警報音発生部をオン、オフするためのスイッチ部と、を設けたことを特徴とする外出用装備品。
【請求項２】
前記警報音発生部をオンにしたときに、点滅動作をする点滅手段を装備品本体に更に設けたことを特徴とする請求項１記載の外出用装備品。
【請求項３】
装備品本体の基端側に設けられた握柄に、当該握柄を握った手の甲を覆うようにカバー体を設け、警報音発生部はこのカバー体に設けられていることを特徴とする請求項１記載の外出用装備品。
【請求項４】
カバー体には、前記警報音発生部をオンにしたときに、点滅動作をする点滅手段が設けられていることを特徴とする請求項３記載の外出用装備品。
【発明の詳細な説明】
【技術分野】
【０００１】
本発明は、傘または杖である外出時に使用される装備品に関する。
【背景技術】
【０００２】
雨天の暗い夜道を一人で傘を差して歩いていると、自分の身に危険が及ぶおそれが生じる場合がある。特に幼い子や女性が一人で傘を差して夜道を歩くことは非常に危険である。
【０００３】
そこで特許文献１では、傘の先端部にライトを設けると共に傘の柄にライトを点灯させるためのスイッチを設けることで、自分の身に危険があった場合に、前記スイッチを押してライトを点灯させ、このライトの光によって周囲の人に危険を知らせるようにしている。
【０００４】
しかし、自分の身の危険を感じてスイッチを押してライトを点灯させても、そのライトの光に周囲の人が気が付かなければ、誰も助けに来てくれない可能性がある。またこのような課題は、杖などの先端部にライトを設けても同様である。
【０００５】
【特許文献１】特開平１０−３３２２４（請求項１、段落０００５、図１）
【発明の開示】
【発明が解決しようとする課題】
【０００６】
本発明はこのような事情に鑑みてなされたものであり、その目的は、周囲の人に自分の身の危険を確実に知らせることができる傘または杖である外出用の装備品を提供することにある。
【課題を解決するための手段】
【０００７】
本発明は、傘または杖である外出用装備品であって、装備品本体に、警報音を発する警報音発生部と、この警報音発生部をオン、オフするためのスイッチ部と、を設けたことを特徴とする。前記外出用装備品において、前記警報音発生部をオンにしたときに、点滅動作をする点滅手段を装備品本体に更に設けた構成であってもよい。さらに前記外出用装備品において、装備品本体の基端側に設けられた握柄に、当該握柄を握った手の甲を覆うようにカバー体を設け、警報音発生部はこのカバー体に設ける構成であってもよい。このような構成の場合、カバー体には、前記警報音発生部をオンにしたときに、点滅動作をする点滅手段が設けられていることが好ましい。
【発明の効果】
【０００８】
本発明によれば、装備品本体に設けられた警報音発生部より警報音を発することができるので、自分の身に危険があったときに警報音を発することで、この警報音によって周囲の人に自分の身の危険を確実に知らせることができる。
【０００９】
また前記警報音発生部をオンにしたときに、点滅動作をする点滅手段を装備品本体に更に設けることで、警報音と共に点滅手段が点滅することにより、周囲の人は何か危険が起こっていることを耳で聞くことの他に目でも確認することができる。
【発明を実施するための最良の形態】
【００１０】
本発明を傘に適用した実施の形態について説明する。図１中１は傘であり、当該傘１は手で握って持つクリップとなる直線棒状の握柄１１と、その基端側に前記握柄１１が連設された軸部１２と、この軸部１２に設けられ、当該軸部１２を中心にその周囲方向に向かって開閉する傘部分１３と、図３及び図４にも示すように前記握柄１１の一端側から他端側に亘って握柄１１を握っている手の甲を覆うようにして湾曲して形成されたカバー体３と、を備え、これら握柄１１、軸部１２、傘部分１３及びカバー体３により装備品本体である傘本体が構成されている。また傘部分１３の先端から突出している軸部１２の一部である石突１４の先端部には後述する給電端子が設けられている。
【００１１】
図１及び図２に示すように充電部２には傘１の石突１４が上面側から挿入される挿入孔２１が形成されており、この挿入孔２１の内周壁には周方向に沿って複数箇所例えば互いに対向する２箇所に、内周壁から径方向に突出、没入自在で且つ突出するように付勢されている第１の接続端子２２が設けられると共に、挿入孔２１の底面には、上下に突出、没入自在で且つ突出するように付勢されている第２の接続端子２３が設けられている。一方傘１の石突１４には、リング状に第１の給電端子２４が設けられると共に石突１４の底面には第２の給電端子２５が設けられ、石突１４を充電部２の挿入孔２１内に挿入して傘１を立てたときに、石突１４側の第１の給電端子２４が充電部２側の第１の接続端子２２をこの接続端子２２の付勢力に抗して押し広げることで第１の給電端子２４と第１の接続端子２２とが接触し、また石突１４側の第２の給電端子２５が充電部２側の第２の接続端子２３と接触するように、第１の給電端子２４及び第２の給電端子２５の位置が設定されている。なお、石突１４は例えば樹脂などの絶縁体を用いて第１の給電端子２４と第２の給電端子２５とを絶縁している。また前記充電部２には電源コード２６を介して電源プラグ２７が接続されている。
【００１２】
図３に示すように傘１の握柄１１の内部には加温手段である電気ヒータ４が設けられている。この例において電気ヒータ４としては例えばセラミックスの筒状体９内に抵抗発熱線を収納し、かつこの筒状体９内にセラミックス粉を充填したものを用いることができる。そしてこの筒状体９の外側に当該筒状体９と同心円状に保温材からなるパッド９１を積層して握柄１１が構成される。前記保温材としては、天然繊維あるいは合成繊維からなる綿糸を織成して可撓性の筒状パッドに構成したものを用いることができる。また前記握柄１１としては、棒状の芯材にテープヒータを巻き付けて加温手段を構成し、この加温手段の周囲に保温材を形成するようにしてもよい。
【００１３】
前記カバー体３の軸部１２側の端部及び握柄１１の端部には、電気ヒータ４と軸部１２側の給電路との電気的接続をとるためのコネクタ部が夫々設けられている。そして湾曲したカバー体３は少し弾性を有しており、前記カバー体３の両端側を少し広げて湾曲面が伸びる状態にして、握柄１１を両端部間に挟み込み、前記コネクタ部同士を互に係合させている。また握柄１１の両端面には接着剤が塗布されており、前記カバー体３の復元力により握柄１１が押さえ込まれた状態で、前記カバー体３の両端部と握柄１１の両端面とが夫々互に固着されている。また前記カバー体３の軸部１２側の端部には、例えば軸部１２側に設けられた雄ネジ部と螺合する雌ネジ部が設けられており、両者が螺合することで軸部１２とカバー体３とが互に固定され且つ両者の給電路の電気的接合が図られるようになっている。前記電気ヒータ４によって傘１の握柄１１の表面が低温火傷しない温度、例えば体温よりも少し高い４２℃程度となるように構成されている。また前記カバー体３と傘１の握柄１１との連結部分において、傘１の握柄１１の上部側（傘１の使用時における上部側）には後述する内部電源部から電気ヒータ４のオン、オフを行うためのスイッチ部４１と後述するスピーカのオン、オフを行うためのスイッチ部３３とが設けられている。
【００１４】
また図４に示すように前記カバー体３の中央部には防犯用の警報音を鳴らすためのスピーカ３１が設けられている。さらに前記カバー体３の上部側には警報音の発生と同時にライトが点滅するように構成された点滅手段である点滅ライト３２が設けられている。さらにまた前記カバー体３の下部側（傘１の使用時における下部側）には開閉自在に構成された蓋体３４が設けられている。図５に示すように前記蓋体３４で覆われたカバー体３の内部には収納部３５が形成されており、当該収納部３５には後述する電気ヒータ４に給電するための予備電池３６が装着できるように構成されている。
【００１５】
さらに図３、図５及び図６に示すように傘１の握柄１１の下方側には傘１を立てて掛けられるように傘１の先端側にＬ字状に屈曲した傘掛け部材（フック）３７が図示しないバネの復元力に抗して収納されている。また傘１の握柄１１の底面にはフック操作部３８が設けられており、当該フック操作部３８を押すことで図示しない前記バネを押えている力が解除され、そのバネの復元力により傘掛け部材３７が外方に向かって延び出し、前記傘掛け部材３７を介して傘１を例えば傘掛け等に掛けることができるようになっている。なお、傘１の握柄１１の底面にフック操作部３８を設けずに、傘掛け部材３７の周縁部を指の爪などで引っ掛けて傘掛け部材３７を引っ張り出す構成であってもよい。
【００１６】
図７は充電部２、傘１本体内の一例を示すブロック図である。前記充電部２は、商用電圧を降圧させるための変圧器２８及びこの変圧器２８の二次側に既述の接続端子２２、２３が接続されている。傘１本体の既述の給電端子２４、２５側には整流器５、例えばコンデンサ及び定電流回路の組み合わせからなる内部電源部５１、スイッチ部４１及び電気ヒータ４がこの順に接続されており、スイッチ部４１により電気ヒータ４がオン、オフされる。前記内部電源部５１とスイッチ部４１との間にはトランジスタ等からなる切り替え部４２が介設されており、コンデンサの充電量が設定値よりも小さくなると予備電池３６に切り替わるように構成されている。
【００１７】
また前記切り替え部４２には電気配線を介して上流側からスイッチ部３３、信号発信源５２、増幅器５３及びスピーカ３１がこの順に接続されており、前記スイッチ部３３と信号発信源５２との間には電気配線を介して点滅ライト３２が接続されている。即ち、この例では信号発信源５２と増幅器５３とスピーカ３１とにより、警報音発生部が構成されている。なお、内部電源部５１と予備電池３６との間の切り替えを手動で行えるように、握柄１１の側面に切り替えスイッチを設けた構成であってもよい。
【００１８】
次に上述した傘の使用について説明する。先ず軸部１２の内部に設けられている内部電源部５１の充電を行う。即ち、軸部１２の一部である石突１４を充電部２の挿入孔２１に挿入する。そして図２に示すように、石突１４側の第１の給電端子２４が充電部２側の第１の接続端子２２と接触し、また石突１４側の第２の給電端子２５が充電部２側の第２の接続端子２３と接触することで内部電源部５１の充電が開始される。そして内部電源部５１に所定量の電気が蓄えられると、充電部２に設けられた図示しない表示ランプが消灯し充電の終了を表示する。
【００１９】
図３に示すようにスイッチ部４１をオンにすることで内部電源部５１により電気ヒータ４を給電して発熱させ、傘１の握柄１１の部分が例えばおよそ４２℃となるように温められる。また内部電源部５１に蓄えられている電気量が減ったときには、切り替え部４２によって電気ヒータ４への電気の供給源が内部電源部５１から予備電池３６へと切り替わることになる。なお、適宜収納部２３に収納されている予備電池３６は蓋体３４を開けて交換する。
【００２０】
またスイッチ部３３をオンにすることで前記信号発信源５２から信号が発生し、スピーカ３１から信号音（防犯警報音）が鳴り響くと共に点滅ライト３２が点滅する。
【００２１】
上述の実施の形態によれば、カバー体３の中央部に設けられたスピーカ３１より警報音を発することができるので、自分の身に危険があったときに警報音を発することで、この警報音によって周囲の人に自分の身の危険を確実に知らせることができる。また警報音と共に点滅動作をする点滅ライト３２をカバー体３の上部側（傘１の使用時における上部側）に更に設けることで、周囲の人は傘１を持っている人に何か危険が起こっていることを聴覚により認識できる上、視覚によっても認識することができるので、より一層確実にその危険を周囲の人に知らしめることができる。従って、例えば女性が夜道を歩く場合や子供が見知らぬ人から危害を加えられ、あるいは連れ去られそうになった場合などに対する対応の一手段として有効な装備品である。
【００２２】
また電気ヒータ４により傘１の握柄１１の部分を加温しているので、図８に示すように傘１の握柄１１を握っている手７を寒気等の寒さから守ることができる。従って雨の日や雪の日に便利であることは勿論、雨、雪などが降っていなくても傘を畳んで手に持っているときも、あるいはバス、電車などの交通手段の中にいるときなどにおいても手が温められるので心地が良いし、風邪が引きにくくなるなど健康面においても利点がある。
【００２３】
なお、本発明は握柄が棒状でなくてもＵ字状に屈曲しているものであっても、また折り畳みの傘に対しても適用することができる。さらに本発明は傘の他に杖についても適用でき、傘と杖とが共用されている商品についても適用できる。図９は杖１００に適用した概略図であり、図１に示す傘部分１３が設けられていない点を除くと傘の場合と同様に構成される。このような杖の場合であっても上述と同様の作用効果があり、例えばお年寄りが転倒して動けなくなった場合などにおいて周囲の人にそのことを知らせることができ、逸早く対応をとることができることに貢献する。
【図面の簡単な説明】
【００２４】
【図１】本発明の傘を説明する説明図である。
【図２】上記傘の石突部分に取り付けられる充電部を示す概略断面図である。
【図３】上記傘の握柄の部分を説明する説明図である。
【図４】上記傘の握柄の部分を説明する説明図である。
【図５】上記傘の握柄の部分を説明する説明図である。
【図６】上記傘の握柄の部分を説明する説明図である。
【図７】上記充電部及び傘本体内の一例を示すブロック図である
【図８】本発明の傘を説明する説明図である。
【図９】本発明の杖を説明する説明図である。
【符号の説明】
【００２５】
１    傘
１１  握柄
１４  石突
２    充電部
２２  第１の接続端子
２３  第２の接続端子
２４  第１の給電端子
２５  第２の給電端子
２８  変圧器
４    電気ヒータ
４１  スイッチ部
４２  切り替え部
３６  予備電池
５    整流器
５１  内部電源部
【図１】
2007037993.tif 000003
【図２】
2007037993.tif 000004
【図３】
2007037993.tif 000005
【図４】
2007037993.tif 000006
【図５】
2007037993.tif 000007
【図６】
2007037993.tif 000008
【図７】
2007037993.tif 000009
【図８】
2007037993.tif 000010
【図９】
2007037993.tif 000011